(57)【要約】【課題】  構造が簡単でしかも開閉操作が一動作でできるバランサー窓の連動機構を提供する。【解決手段】  内側窓及び外側窓の重量をほぼ同じくしたバランサー窓の左右両側において、夫々上枠内に折り返しプーリー１９を転動可能に設け、内側及び外側の何れか一方のバランサー窓の側端縁に一端を連結された吊りワイア４を、上枠に内蔵された内側及び外側の何れか一方に対応するアイドルプーリーを介して、折り返しプーリー１９に掛け回し、更に、他方のアイドルプーリーを介して、吊りワイア４の他端を他方のバランサー窓の側端縁に連結する。【選択図】  図５
2005273279.tif 000002
【特許請求の範囲】
【請求項１】
内側窓及び外側窓の重量をほぼ同じくしたバランサー窓の左右両側において、夫々上枠内に折り返しプーリーを転動可能に設け、内側及び外側の何れか一方のバランサー窓の側端縁に一端を連結された吊りワイアを、上枠に内蔵された内側及び外側の何れか一方に対応するアイドルプーリーを介して、折り返しプーリーに掛け回し、更に、他方のアイドルプーリーを介して、吊りワイアの他端を他方のバランサー窓の側端縁に連結したことを特徴とするバランサー窓の連動機構。
【請求項２】
内側窓及び外側窓の重量をほぼ同じくしたバランサー窓の左右両側において、夫々上枠内に折り返しプーリーを転動可能に設け、内側及び外側の何れか一方のバランサー窓の側端縁に一端を連結された吊りワイアを、上枠に内蔵された内側及び外側の何れか一方に対応するアイドルプーリーを介して、折り返しプーリーに掛け回し、更に、他方のアイドルプーリーを介して、吊りワイアの他端を他方のバランサー窓の側端縁に連結し、また、折り返しプーリーの左右方向の位置を調節できるようにしたことを特徴とするバランサー窓の連動機構。
【発明の詳細な説明】
【技術分野】
【０００１】
この発明は、バランサー窓の連動機構（以下単に連動機構という）に係り、特に、構造が簡単でしかも開閉操作が一動作でできる連動機構に関する。
【背景技術】
【０００２】
バランサー窓は、図１に示すように、建物の壁に嵌め込まれた窓枠１に、見込み方向に連設された内側及び外側窓２、３を夫々上下方向に移動可能に案内してなる。
【０００３】
各窓２、３は、両側を吊り紐或いは吊りワイア４を介して、バランサーと称されるばね装置５に連結され、任意の位置で停止することができるように支持されている。
【０００４】
上記バランサー５は、図２及び図３に示すように、ゼンマイばね６を内蔵した巻上げドラム７と、この巻上げドラム７に一体に連結された全体の形状が例えば円錐台状のワイアドラム８とを有してなる。
【０００５】
なお、図１では図示を省略するが、窓２、３の右側にも夫々バランサー５、５が設けられているので、一つのバランサー窓では合計４個のバランサーが設けられている。
【０００６】
上記ワイアドラム８には、図３に示すように、螺旋溝９が形成されていて、この螺旋溝９の巻上げドラム７に近い大径部から吊りワイア７が巻き掛けられ、小径部から巻き解れて、アイドルプーリー１１を経て垂下し、その下端が窓２、３の側端縁に結合されることは図１に示した通りである。
【０００７】
上記螺旋溝９の立体形状は、例えば渦巻き型の蚊取り線香を厚さ方向に引き伸ばしたような形状であり、吊りワイア７をワイアドラム８から巻き解していくと、ゼンマイばね６が巻き締められて巻上げドラム７の出力トルクが線形的に増加する一方、ワイアドラムの中心と吊りワイア７との距離が連続的かつ線形的に減少していく。
【０００８】
そのため、各部材の寸法及び形状を適切に設定すると、巻上げドラム７の出力トルクが増大しても吊りワイア７の張力を一定にすることができ、したがって窓２、３を夫々独立に、かつ任意の上下位置に停止させることができる。
【０００９】
なお、上記したバランサー窓の構成は従来周知であるから、更に詳細な説明は省略する。
【発明の開示】
【発明が解決しようとする課題】
【００１０】
上記したバランサー窓は、勿論所期の機能を発揮して従来実用されてきたのであるが、窓２（３）を円滑に案内するため一つの窓に二つのバランサーが必要であり、かつ、バランサー５の構成が簡単ではないことから、構造が複雑と言わざるを得ず、したがってコストも高い。
【００１１】
また、内側窓２及び外側窓３を夫々独立に調節できるとは言っても、バランサー窓の全開状態である両窓の重合状態から、両窓の全閉位置の間の開き具合を任意に調節できるということは、窓の機能にとってそんなに重要なことではなく、通気窓としてのバランサー窓の構成としては所謂鶏を割くに牛刀を以てする大袈裟なものである。
【００１２】
そこで、この発明は、構造が簡単で、しかも開閉操作が一動作でできる連動機構を提案し、バランサー窓の構成を合理的に改良することを目的としている。
【課題を解決するための手段】
【００１３】
上記の目的を達成するため、請求項１に記載の発明は、内側窓及び外側窓の重量をほぼ同じくしたバランサー窓の左右両側において、夫々上枠内に折り返しプーリーを転動可能に設け、内側及び外側の何れか一方のバランサー窓の側端縁に一端を連結された吊りワイアを、上枠に内蔵された内側及び外側の何れか一方に対応するアイドルプーリーを介して、折り返しプーリーに掛け回し、更に、他方のアイドルプーリーを介して、吊りワイアの他端を他方のバランサー窓の側端縁に連結したことを特徴とする。
【００１４】
また、請求項２に記載の発明は、内側窓及び外側窓の重量をほぼ同じくしたバランサー窓の左右両側において、夫々上枠内に折り返しプーリーを転動可能に設け、内側及び外側の何れか一方のバランサー窓の側端縁に一端を連結された吊りワイアを、上枠に内蔵された内側及び外側の何れか一方に対応するアイドルプーリーを介して、折り返しプーリーに掛け回し、更に、他方のアイドルプーリーを介して、吊りワイアの他端を他方のバランサー窓の側端縁に連結し、また、折り返しプーリーの左右方向の位置を調節できるようにしたことを特徴とする。
【発明の効果】
【００１５】
上記のように構成された請求項１に記載の発明は、エレベータの人が乗る箱とバランサー重りのように、内側窓及び外側窓の重量が吊り合った状態で折り返しプーリーに懸架されるので、内側及び外側両側の窓が上下方向における何れの位置にあっても釣り合い、従来の複雑な構造のバランサーの一対を１個の折り返しプーリーに置換できる。
【００１６】
したがって、バランサー窓の構造を簡単にすることができるばかりでなく、重量の軽減、コストの減少及び信頼性の向上を期待できる。
【００１７】
また、内側及び外側の何れか一方の窓を上げ下げするだけで、他方の窓が上下反対方向に従動するので、バランサー窓の開閉操作が簡単になる、等種々の効果を奏する。
【発明を実施するための最良の形態】
【００１８】
従来の複雑な構造のバランサーの一対を１個の折り返しプーリーに置換したので、バランサー窓の構造を極めて簡単にすると共に、窓の開閉操作を内外一方の窓の操作で他方の窓が従動できるようにした。
【実施例１】
【００１９】
以下、この発明の実施例を図４乃至図６を参照して説明する。
なお、説明の都合上、請求項２に記載の発明の実施例について説明する。それは、請求項２に記載の発明は請求項１に記載の発明の利用発明で、請求項２に記載の発明の説明は、請求項１に記載の発明の説明を含むからである。
【００２０】
図４及び図５において符号１２は水平な台板を示し、この台板１２はバランサー窓の上枠空間内に装着される。
【００２１】
この台板１２上には、断面コ字形の支持枠１３が固着され、また、この支持枠１３の下面と台板１２の上面に夫々固着された、断面が浅いコ字形のガイド板１４、１４の間には、断面が細長いロ字形に折り曲げられた可動枠１５が左右方向に移動可能に案内されている。
【００２２】
なお、支持枠１３の一端（図示の実施例では右端）には調整ボルト１６の基端が回動自在に支持されており、調整ボルト１６の先端部は、可動枠１５の右端に例えば溶接により固着されたナット１７と螺合している。
【００２３】
上記した構成により、調整ボルト１６を回動させると、可動枠１５が左右に移動する。なお、図示の実施例では、可動枠１５は左方に移動する方向の動きは拘束されるが、右方への移動は自由になっている。しかしながら、この可動枠１５にはバランサー窓の重量が掛かるので、可動枠の右方への動きは拘束しなくとも良い。
【００２４】
一方、上記可動枠１５上には、支持台１８（図５参照）及び図示しないニードルベアリングを介して、折り返しプーリー１９が鉛直な回動軸の回りを転動可能に配設されている。
【００２５】
この折り返しプーリーに１９には前記吊りワイア４が掛け回されており、その一端部は、例えば内側窓に対応する内側アイドルプーリー２１に上方から掛け回され、下方に向きを変えられて、図示しない内側窓の側端縁に連結される。
【００２６】
同様に、吊りワイア４の他端部は、外側窓に対応する外側アイドルプーリー２２に上方から掛け回され、下方に向きを変えられて、図示しない外側窓の側端縁に連結される。
【００２７】
上記内側及び外側アイドルプーリー２１、２２にもニードルベアリング等のコロ軸受を設けることが望ましい。
【００２８】
なお、図において符号２３は、折り返しプーリーに掛け回された吊りワイア４がプーリーから外れてしまうことを防止するために設けられた止め板である。
【００２９】
そして、図４及び図５に示すワイア折り返し装置が例えばバランサー窓の左側の側端縁に対応するものであるならば、同じものを対称的にバランサー窓の右側の側端縁に対応して設ける。
【００３０】
また、右側及び／又は左側の吊りワイアが弛むときには、前記調整ボルト１６を回して可動枠１５を窓枠中心側に移動させ、ワイアの長さが足りなくてバランサー窓が全閉にならないときには、可動枠１５を窓枠中心から離間する方向に移動させる。
【００３１】
なお、この発明による連動機構が適用されるバランサー窓においては、内側及び外側窓２、３がほぼ同じ重量になることが作動原理上必要であるが、通常、内側及び外側窓２、３は同じ構成であり、或いは、見込み方向において対称的に製造されるので、製造上別に考慮を払わなくともほぼ同じ重量になる。
【００３２】
上記のように構成されたこの発明の一実施例による連動機構は、左右バランスが取れた状態で、内側及び外側窓２、３が上下対称的に円滑に移動することは明らかである。
【００３３】
この場合、内側及び外側窓２、３の一方を手で上げ下げすれば、他方も従動して上下反対方向に移動する。
【００３４】
また、内側及び外側窓２、３の重量は折り返しプーリーに担持されるので、窓を開閉する手に感じられる負荷は窓の案内部の摩擦抵抗及び慣性抵抗のみであるから、窓の開閉に要する力は極小さくて済む。
【実施例２】
【００３５】
なお、この発明は図示の実施例に限定されず、種々に変形して実施することが可能である。
【００３６】
例えば、図示の実施例においては折り返しプーリー１９は鉛直な回動軸の回りを転動可能に配設されるものとしたが、これは吊りワイア４の端部をバランサー窓の見込み方向において位置を違える必要があるからである。
【００３７】
しかしながら、図６に示すように、折り返しプーリー１９を水平な回動軸の回りを転動できるように設け、その代わりにアイドルプーリー２１をもう一つ余分に設けて、吊りワイア４の端部をバランサー窓の見込み方向において位置を違えるようにしてもよい。
【図面の簡単な説明】
【００３８】
【図１】バランサー窓の線図的一部断面正面図。
【図２】従来のバランサー装置の平面図で、図面を明瞭にするためワイアドラムの螺旋溝を省略して示す。
【図３】その一部断面側面図。
【図４】この発明の一実施例によるバランサー装置の一部断面平面図。
【図５】その側面図。
【図６】この発明の変形実施例を示すプーリー及び吊りワイアの線図的外観斜視図。
【符号の説明】
【００３９】
１  窓枠
２  内側窓
３  外側窓
４  吊りワイア
５  バランサー
１１  アイドル  プーリー
１５  可動枠
１９  折り返しプーリー
２１  内側アイドルプーリー
２２  外側アイドルプーリー
２３  止め板
【図１】
2005273279.tif 000003
【図２】
2005273279.tif 000004
【図３】
2005273279.tif 000005
【図４】
2005273279.tif 000006
【図５】
2005273279.tif 000007
【図６】
2005273279.tif 000008